(57)【要約】      （修正有）【課題】矩形枠体とその関連部品とをコンパクトに一体に梱包してその関連性を明らかにできると共に、非梱包状態でも梱包材の部分的な紛失を回避できる矩形枠体及び関連部品の梱包材を提供する。【解決手段】梱包材１を一枚の板紙１ａから構成する。板紙の外周の辺部２ａに設けた外周片３を表面側に折り曲げて４つの辺桟を有する矩形枠体を収納させるための枠体収納部４を形成する。板紙の外周片で囲まれた中央片２に設けた切起し片５を表面側に切り起こして矩形枠体の関連部品を収納するための関連部品収納部６を形成する。【選択図】図１
2008290760.tif 000002
【特許請求の範囲】
【請求項１】
矩形枠体とその関連部品とを梱包する梱包材であって、梱包材を一枚の板紙から構成し、この板紙の外周の辺部に設けた外周片を表面側に折り曲げて４つの辺桟を有する矩形枠体を収納させるための枠体収納部を形成し、上記板紙の外周片で囲まれた中央片に設けた切起し片を表面側に切り起こして矩形枠体の関連部品を収納するための関連部品収納部を形成したことを特徴とする矩形枠体及び関連部品の梱包材。
【請求項２】
矩形枠体の４つの辺桟を収納する４つの辺桟収納部で枠体収納部を構成し、直線状に形成した関連部品収納部の長手方向を矩形枠体のいずれの辺桟の長さ方向にも斜めにすると共に、この関連部品収納部の長手方向の両端部に枠体収納部の異なる辺桟収納部の内側面又は矩形枠体の異なる辺桟の内側面に当接する当接部を設けたことを特徴とする請求項１記載の矩形枠体及び関連部品の梱包材。
【請求項３】
展開状態の板紙が、
矩形状に形成した中央片の四周の辺部に第１谷折り線を介して第１外周片を外側に連設し、第１外周片の突出先端から第２谷折り線を介して第２外周片を外側に連設し、第２外周片の突出先端から第３谷折り線を介して第３外周片を外側に連設し、上記連設された第１外周片と第２外周片と第３外周片とで一の外周片を構成し、隣接する外周片との間に中央片の四周の角部から補強片を突設し、補強片の両側端を隣接する外周片の第１外周片に第４谷折り線を介してそれぞれ連続させると共に隣接する外周片の第２外周片及び第３外周片とは切欠きを介してそれぞれ離間させ、上記補強片の両側端間の幅寸法を第１外周片の突出距離の２倍の長さよりも小さく形成すると共に該補強片を幅方向に２分する第１山折り線を設け、隣接する第１谷折り線の交点に補強片の一対の第４谷折り線と第１山折り線を接続して成り、
この板紙を組み立てたとき、
各外周片における第１乃至第３外周片が第１乃至第３谷折り線での谷折りにより板紙の表側に立上がって枠体収納部が形成され、第１山折り線で山折りして折畳まれた補強片が第４谷折り線での谷折りにより板紙の表側に立上がり、この折畳み状態の補強片が枠体収納部の角部における第１外周片に沿うように積層された
ことを特徴とする請求項１又は２記載の矩形枠体及び関連部品の梱包材。
【発明の詳細な説明】
【技術分野】
【０００１】
本発明は、矩形枠体及び関連部品の梱包材に関するものである。
【背景技術】
【０００２】
従来から、サッシのような矩形枠体を搬送したりする際には梱包材を被着させて保護を図っている（たとえば特許文献１参照）。また、上記矩形枠体の使用に供するような矩形枠体の関連部品は矩形枠体と共に納入先に搬送されることとなるが、この関連部品は矩形枠体とは別個に梱包材が被着されてその保護が図られ、矩形枠体と別個の状態で納入先に搬送されることとなっている。したがって、コンパクトな梱包状態とはならないばかりか、梱包材で各々被着された矩形枠体とその関連部品とが関連していることが一目で分かりにくいものであった。なお、梱包された矩形枠体とその関連部品との関連性を示すために結束材で結束させることも一般に行われるが、結束材での結束作業は煩雑である。
【０００３】
また、矩形枠体Ａへの梱包材１の被着構造としては、たとえば特許文献１では図５のように矩形枠体Ａの各角部に別個の梱包材１を各々巻き付けて被着させているが、各々の梱包材１の矩形枠体Ａへの被着作業が煩雑であるばかりか、被着前には複数の梱包材１がバラバラになって紛失してしまい易いものである。
【０００４】
更に言うと、矩形枠体にはその搬送時に衝撃等の外力が負荷して変形してしまう恐れもあるが、上記被着された梱包材では梱包状態で矩形枠体の変形を防止することなどできないものであった。
【特許文献１】特開２００２−４６７７９号公報
【発明の開示】
【発明が解決しようとする課題】
【０００５】
本発明は上記の点に鑑みてなされたものであり、その目的とするところは、矩形枠体とその関連部品とをコンパクトに一体に梱包してその関連性を明らかにできると共に非梱包状態でも梱包材の部分的な紛失を回避できる矩形枠体及び関連部品の梱包材を提供することを課題とするものである。
【課題を解決するための手段】
【０００６】
上記課題を解決するために請求項１に係る発明にあっては、梱包材１を一枚の板紙１ａから構成し、この板紙１ａの外周の辺部２ａに設けた外周片３を表面側に折り曲げて４つの辺桟Ａ１を有する矩形枠体Ａを収納させるための枠体収納部４を形成し、上記板紙１ａの外周片３で囲まれた中央片２に設けた切起し片５を表面側に切り起こして矩形枠体Ａの関連部品Ｂを収納するための関連部品収納部６を形成したことを特徴とする。
【０００７】
これによると、枠体収納部４に収納した矩形枠体Ａによって囲繞された部位に、関連部品収納部６によって関連部品Ｂを収納することができたため、矩形枠体Ａとその関連部品Ｂをコンパクトに一体に梱包することができたものである。したがって、梱包状態を小型化できると共に、梱包状態で矩形枠体Ａと関連部品Ｂとの関連性が明らかにできるのであり、また、矩形枠体Ａと関連部品Ｂとを別の梱包材１で梱包していた従来技術で生じ易い非梱包状態での梱包材１の部分的な紛失も回避することができたのである。
【０００８】
また、請求項２に係る発明にあっては、請求項１において、矩形枠体Ａの４つの辺桟Ａ１を収納する４つの辺桟収納部４ａで枠体収納部４を構成し、直線状に形成した関連部品収納部６の長手方向を矩形枠体Ａのいずれの辺桟Ａ１の長さ方向にも斜めにすると共に、この関連部品収納部６の長手方向の両端部に枠体収納部４の異なる辺桟収納部４ａの内側面又は矩形枠体Ａの異なる辺桟Ａ１の内側面に当接する当接部７を設けたことを特徴とする。
【０００９】
これによると、枠体収納部４に収納した矩形枠体Ａに負荷された外力は関連部品収納部６に伝わせて矩形枠体Ａの辺桟Ａ１の斜めの方向に逃すことができるのであり、つまり関連部品収納部６は枠体収納部４に収納状態にある矩形枠体Ａにおける筋交として機能するのであり、枠体収納部４に収納した矩形枠体Ａの剛性強度を高めて外力による変形を有効に防止することができる。
【００１０】
また、請求項３に係る発明にあっては、請求項１または２において、展開状態の板紙１ａが、矩形状に形成した中央片２の四周の辺部２ａに第１谷折り線ａを介して第１外周片３ａを外側に連設し、第１外周片３ａの突出先端から第２谷折り線ｂを介して第２外周片３ｂを外側に連設し、第２外周片３ｂの突出先端から第３谷折り線ｃを介して第３外周片３ｃを外側に連設し、上記連設された第１外周片３ａと第２外周片３ｂと第３外周片３ｃとで一の外周片３を構成し、隣接する外周片３との間に中央片２の四周の角部２ｂから補強片８を突設し、補強片８の両側端を隣接する外周片３の第１外周片３ａに第４谷折り線ｄを介してそれぞれ連続させると共に隣接する外周片３の第２外周片３ｂ及び第３外周片３ｃとは切欠き９を介してそれぞれ離間させ、上記補強片８の両側端間の幅寸法Ｌを第１外周片３ａの突出距離Ｈの２倍の長さよりも小さく形成すると共に該補強片８を幅方向に２分する第１山折り線ｅを設け、隣接する第１谷折り線ａの交点ａ１に補強片８の一対の第４谷折り線ｄと第１山折り線ｅを接続して成り、この板紙１ａを組み立てたとき、各外周片３における第１乃至第３外周片３ａ〜３ｃが第１乃至第３谷折り線ａ〜ｃでの谷折りにより板紙１ａの表側に立上がって枠体収納部４が形成され、第１山折り線ｅで山折りして折畳まれた補強片８が第４谷折り線ｄでの谷折りにより板紙１ａの表側に立上がり、この折畳み状態の補強片８が枠体収納部４の角部４ｂにおける第１外周片３ａに沿うように積層されたことを特徴とする。
【００１１】
これによると、組立状態の梱包材１では、補強片８を第１山折り線ｅで山折りして２つ折り状に折畳むようにしつつ、第４谷折り線ｄで谷折りして各外周片３から梱包材１の表側に立ち上げることで、その結果、２つ折り状に折畳まれた状態の補強片８を隣接する辺桟収納部４ａのいずれかの第１外周片３ａに沿わせるように積層することができる。隣接する辺桟収納部４ａで成る枠体収納部４の角部４ｂは組立状態の梱包材１の最外端部分であって梱包材１の搬送時などにぶつけ易い出っ張り部分となる箇所であるが、上記のように枠体収納部４の角部４ｂの外縁となる第１外周片３ａに補強片８が積層されるため、出っ張り部分を有効に補強できて梱包材１に高い強度を確保できる。
【発明の効果】
【００１２】
本発明にあっては、矩形枠体とその関連部品とをコンパクトに一体に梱包してその関連性を明らかにできると共に、非梱包状態でも梱包材の部分的な紛失を回避できるという利点を有する。
【発明を実施するための最良の形態】
【００１３】
以下、本発明を添付図面に示す実施形態に基いて説明する。図２は本例の梱包材１の展開図であり、図１及び図３には組み立てた状態の梱包材１を示し、図４には梱包材１の組み立て途中の要部を示す。
【００１４】
つまり、本例の梱包材１は図２のように所定形状に施した段ボール製の一枚の板紙１ａから構成されるものであり、上記板紙１ａを折り曲げて図１及び３のように組み立てることで矩形枠体Ａ及びその関連部品Ｂを一体に梱包するようにしたものである。上記のように一枚の板紙１ａを段ボールで構成したので、厚みを出せたり、腰を強くできたり、後述のように折り曲げて梱包材１を組み立てた際に各片が当接したり重合したりしたときに緩衝できるメリットを有する。なお、本例で例示する矩形枠体Ａとその関連部品Ｂは床に配設される床下収納庫の構成部品である。詳しくは、矩形枠体Ａは床下収納庫の上方に開口せる矩形箱状の収納容器の上方開口縁に配設する枠体であって、この矩形枠体Ａは４つの直線状の辺桟Ａ１を正方形の枠状に組み付けることで形成されている。また、関連部品Ｂは収納容器の上方開口に開閉自在に配置される蓋材における扁平な蓋板の下面に掛け渡すように取り付ける補強用の直線状の桟材などがある。
【００１５】
本例の梱包材１は図２のように板紙１ａの中央部分に正方形状の中央片２が位置している。この中央片２の四周の辺部２ａからはそれぞれ外周片３が外方に突設されている。詳しくは、中央片２の四周の辺部２ａに第１谷折り線ａを介して第１外周片３ａが外側に連設され、第１外周片３ａの突出先端から第２谷折り線ｂを介して第２外周片３ｂが外側に連設され、第２外周片３ｂの突出先端から第３谷折り線ｃを介して第３外周片３ｃが外側に連設されており、これら連設された第１乃至第３外周片３ａ〜３ｃで一の外周片３が構成されている。
【００１６】
なお、第３外周片３ｃの両側端部には組み立てた際に隣接する外周片３同士を連結する外周片連結部が設けられている。隣接する第３外周片３ｃの隣接する側端において、一方の側端には第２外周片３ｂとの間に切り込み１０を入れて重合片１１が側方へ突設されると共に重合片１１の突出根元部に第１係合孔１２が穿設されており、他方の側端には組立てた際に第１係合孔１２に差し込んで係合させる突起状の第１結合片１３が突設されている。これら第１係合孔１２と第１係合片１３とで外周片連結部が構成される。また、第３外周片３ｃの突出先端には組み立てた際に中央片２に穿設した第２結合孔１４に差し込んで結合させる突起状の第２結合片１５が突設されている。本例では、第２結合孔１４は中央片２の隣接する辺部２ａで成る角部２ｂ近傍にそれぞれ設けられており、第２結合片１５は第３外周片３ｃの両側端部にそれぞれ設けられている。また、第３外周片３ｃにおける第２谷折り線ｂが位置する端縁には第３係合孔１６が穿設されている。本例では第３係合孔１６は対向する一対の外周片３に設けられている。
【００１７】
また、中央片２の四周の角部２ｂからは隣接する外周片３との間に位置するように補強片８が外方にそれぞれ突設されている。この補強片８はその両側端が隣接する外周片３の第１外周片３ａに第４谷折り線ｄを介してそれぞれ連続されており、隣接する外周片３の第２外周片３ｂ及び第３外周片３ｃとは切欠き９を介してそれぞれ離間されている。上記補強片８の両側端間の幅寸法Ｌは第１外周片３ａの突出距離Ｈの２倍の長さよりも小さく形成され、該補強片８を幅方向に２分する線上には第１山折り線ｅが設けられている。なお、補強片８の一対の第４谷折り線ｄと第１山折り線ｅは、中央片２の四周の角部２ｂに位置する隣接する第１谷折り線ａの交点ａ１を起点とするように設けられている。
【００１８】
また、中央片２には一の辺部２ａと他の辺部２ａとの間に亙るように切起し片５が設けられている。本例の切起し片５は中央片２の各辺部２ａで囲まれた中央部２ｃを横切るようにして中央片２の隣接する辺部２ａ間に亙るように設けられている。詳しくは、中央片２から第５谷折り線ｆを介して第１切起し片５ａが連設され、第１切起し片５ａにおける第５谷折り線ｆと反対側の端縁から第６谷折り線ｇを介して第２切起し片５ｂが連設され、第２切起し片５ｂにおける第６谷折り線ｇと反対側の端縁から第７谷折り線ｈを介して第３切起し片５ｃが連設され、第２切起し片５ｂにおける第６谷折り線ｇや第７谷折り線ｈの位置しない箇所である両端縁からそれぞれ第４切起し片５ｄが第８谷折り線ｉを介して連設されており、これら連設された第１乃至第４切起し片５ａ〜５ｄで切起し片５が構成されている。本例の第２切起し片５ｂは、第６谷折り線ｇが位置する端縁を底辺とし第７谷折り線ｈが位置する端縁を上辺とするような台形状に形成されている。なお、第３切起し片５ｃにおける第７谷折り線ｈが位置する端縁には第４係合孔１８が穿設されている。
【００１９】
また、中央片２には、起立させた組立状態で第３係合孔１６や第４係合孔１８に各々係合させる第３係合片１７や第４係合片１９が切起し片５として設けられている。第３係合片１７は中央片２の辺部２ａに設けられており、第４係合片１９は中央片２の中央部２ｃにおいて第６谷折り線ｇから連設される切起し片５とは反対側に所定間隔を隔てた位置に設けられている。また、第３係合片１７や第４係合片１９には指を引っ掛けて起立させ易くするための引掛用孔２０が隣接して穿孔されている。
【００２０】
上記のように形成された平板状の梱包材１は、上記の谷折り線などで折り曲げたりして組み立てることで、図１及び図３のように矩形枠体Ａやその関連部品Ｂを梱包可能とする立体形状の梱包材１となる。
【００２１】
外周片３は組み立てた状態で中央片２の辺部２ａに沿った筒形状となり、矩形枠体Ａの辺桟Ａ１を収納する辺桟収納部４ａとなる。詳しくは、第１乃至第３谷折り線ａ〜ｃでそれぞれ谷折りすることで、中央片２の辺部２ａの外端縁から第１外周片３ａが梱包材１の表側（上方）に立ち上がるように突出し、第１外周片３ａの突出先端（上端）から中央片２の中央部２ｃ側に向けて中央片２と略平行となるように第２外周片３ｂが突出し、第２外周片３ｂの突出先端から第３外周片３ｃが中央片２の辺部２ａ側（下方）に垂下することで、これら第１乃至第３外周片３ａ〜３ｃと中央片２の辺部２ａとが筒状形状になり、内部に矩形枠体Ａの辺桟Ａ１を収納できる辺桟収納部４ａとなる。つまり、第１外周片３ａが外側面に、第２外周片３ｂが天井面に、第３外周片３ｃが内側面に、中央片２の辺部２ａが底面にそれぞれなる筒状形状になっている。そして、第３外周片３ｃの突出先端（下端）にある第２結合片１５を中央片２の辺部２ａの第２結合孔１４に差し込んで係合させ、中央片２の辺部２ａにある第３係合片１７を起立させてその切起し先端を第３外周片３ｃにある第３係合孔１６に差し込んで係合させるのであり、これにより筒状の辺桟収納部４ａの組立強度の確保が図られている。外周片３は中央片２の四周にあるため各々筒状に組み立てて形成した辺桟収納部４ａは中央片２の四周に亙るように形成されるのであり、これら連続する辺桟収納部４ａによって矩形枠体Ａ全てを収納する枠体収納部４を形成させる。なお、枠体収納部４に矩形枠体Ａを収納するには、中央片２の辺部２ａ上に矩形枠体Ａを置き、この矩形枠体Ａの辺桟Ａ１をその廻りから覆うように外周片３を筒状に形成することで行うのである。
【００２２】
ここで、隣接する外周片３の間には補強片８があるが、この補強片８は図４のようにその組立状態では折畳まれて筒状に形成された外周片３（辺桟収納部４ａ）内に収められる。詳しくは、補強片８はその組立時には、第１山折り線ｅで山折りして２つ折り状に折畳むようにしつつ、第４谷折り線ｄで谷折りして各外周片３から梱包材１の表側に立ち上がらせるのであり、結果的に組立状態の補強片８は、２つ折り状に折畳まれた状態で隣接する辺桟収納部４ａのいずれかの第１外周片３ａの筒内面に沿うように積層されて、辺桟収納部４ａ内に収められる。隣接する辺桟収納部４ａで成る枠体収納部４の角部４ｂは組立状態の梱包材１の最外端部分であって梱包材１の搬送時などにぶつけ易い出っ張り部分となる箇所であるが、上記のように枠体収納部４の角部４ｂの外縁となる第１外周片３ａに補強片８が積層するため、出っ張り部分を有効に補強できて梱包材１に高い強度を確保できたものである。また、隣接する辺桟収納部４ａ同士は、第１係合孔１２に第１結合片１３が差し込まれて係合状態にされた外周片連結部によって連結されるのであり、枠体収納部４の組立強度の向上が図られている。なお、重合片１１は枠体収納部４の角部４ｂの筒内部に収納可能であり、枠体収納部４の角部４ｂに納まりの良い良好な外観を確保できる。
【００２３】
切起し片５は組み立てた状態で一対の辺桟収納部４ａに亙るような箱形状となり、矩形枠体Ａの関連部品Ｂを収納する関連部品収納部６となる。詳しくは、第５乃至第８谷折り線ｆ〜ｉでそれぞれ谷折りすることで、中央片２から第１切起し片５ａが梱包材１の表側（上方）に立ち上がるように突出し、第１切起し片５ａの突出先端（上端）から中央片２と略平行となるように第２切起し片５ｂが突出し、第２切起し片５ｂの突出先端から第３切起し片５ｃが中央片２側（下方）に垂下すると共に、第２切起し片５ｂの両側端から第４切起し片５ｄが中央片２側（下方）に垂下することで、これら第１乃至第４切起し片５ａ〜５ｄと中央片２とが箱形状になり、内部に矩形枠体Ａの関連部品Ｂを収納できる関連部品収納部６となる。そして、中央片２にある第４係合片１９を起立させてその切起し先端を第３切起し片５ｃにある第４係合孔１８に差し込んで係合させるのであり、これにより箱状の関連部品収納部６の組立強度の確保が図られている。すなわち、本例の梱包材１では矩形枠体Ａで囲繞された部位にその関連部品Ｂをコンパクトに一体に梱包することができたものである。したがって、梱包状態で矩形枠体Ａと関連部品Ｂとの関連性が明らかにできると共に、矩形枠体Ａと関連部品Ｂとを別の梱包材１で梱包していた従来技術で生じ易い非梱包状態での梱包材１の部分的な紛失も回避できたものである。
【００２４】
ここで、関連部品収納部６は第５乃至第８谷折り線ｉと平行な方向が長手方向となる箱状部位であり、関連部品収納部６の長手方向の両端部に枠体収納部４の異なる辺桟収納部４ａの内側面又は矩形枠体Ａの異なる辺桟Ａ１の内側面に当接する当接部７が設けられている。本例では第２切起し片５ｂの両端から垂下される各第４切起し片５ｄが枠体収納部４の隣接する辺桟収納部４ａの各内側面（第３外周片３ｃ）に面接触状態で当接されるのであり、上記当接部７を構成している。矩形枠体Ａは外力が加わると平行四辺形状に変形する恐れを有するが、上記枠体収納部４の異なる辺桟収納部４ａを直線的に結ぶ関連部品収納部６によると、枠体収納部４に収納状態にある矩形枠体Ａの上記変形を防止して剛性強度を高める補強桟材として機能するのである。殊に、本例の関連部品収納部６ではその長手方向が矩形枠体Ａのいずれの辺桟Ａ１の長さ方向にも斜めになるように形成されており、矩形枠体Ａに負荷された外力を関連部品収納部６に伝わせて矩形枠体Ａの辺桟Ａ１の斜めの方向に逃すことができるのであり、つまり関連部品収納部６は枠体収納部４に収納状態にある矩形枠体Ａの上記変形を有効に防止して剛性強度を高める筋交として機能することができるようにされている。なお、第４切起し片５ｄの第３切起し片５ｃ側の端部は谷折りに折り曲げることで関連部品収納部６の内部に収容でき、関連部品収納部６と枠体収納部４との当接部分に納まりの良い良好な外観を確保できる。
【００２５】
ここで、上述の実施形態の外周片３は中央片２の辺部２ａに亙って連設されているが、外周片３で形成される枠体収納部４が矩形枠体Ａを包むように収納できれば、外周片３は、中央片２の辺部２ａの部分的な箇所から連設したり、第３外周片３ｃに抜き孔を穿設したり等、任意の形状にも形成できる。また、上述の実施形態の関連部品収納部６の当接部７は枠体収納部４の異なる辺桟収納部４ａの内側面（第３外周片３ｃ）に当接されているが、上記のように第３外周片３ｃに抜き孔を穿設した場合などには矩形枠体Ａの内側面に直接当接させるようにしてもよい。この場合には、収納された矩形枠体Ａの変形防止を図ることができると共に、矩形枠体Ａを直接押圧できて枠体収納部４内でのガタつき防止も図ることができる。なお、上記実施形態の中央片２は平面視正方形状に形成されていて、正方形状の矩形枠体Ａの収納に適するようにされているが、長方形状の矩形枠体Ａの収納に適するように中央片２を平面視長方形状に形成してもよいのは勿論である。
【図面の簡単な説明】
【００２６】
【図１】本発明の実施の形態の例の梱包材であり組立状態の斜視図である。
【図２】同上の梱包材の展開図である。
【図３】同上の梱包材で矩形枠体と関連部品とを収納した状態（図１と同状態）の上面図である。
【図４】同上の梱包材の組立途中における要部（図１のＣ部）の斜視図である。
【図５】従来技術の例であり、（ａ）は矩形枠体を梱包材で梱包した状態を示す正面図であり、（ｂ）は一の梱包材の斜視図である。
【符号の説明】
【００２７】
１  梱包材
１ａ  板紙
２  中央片
２ａ  辺部
２ｂ  角部
２ｃ  中央部
３  外周片
３ａ  第１外周片
３ｂ  第２外周片
３ｃ  第３外周片
４  枠体収納部
４ａ  辺桟収納部
４ｂ  角部
５  切起し片
６  関連部品収納部
７  当接部
８  補強片
９  切欠き
ａ  第１谷折り線
ａ１  交点
ｂ  第２谷折り線
ｃ  第３谷折り線
ｄ  第４谷折り線
ｅ  第１山折り線
Ａ  矩形枠体
Ａ１  辺桟
Ｂ  関連部品
Ｌ  補強片の幅寸法
Ｈ  第１外周片の突出距離
【図１】
2008290760.tif 000003
【図２】
2008290760.tif 000004
【図３】
2008290760.tif 000005
【図４】
2008290760.tif 000006
【図５】
2008290760.tif 000007